(57)【要約】  定常電流の変化のみではなく過渡電流の発生も読み取ることで、高感度検出ができるように設計した電気測定用デバイス、及び該電気測定用デバイスを含む電気測定装置を提供する。  サンプル分離流路及びサンプル移動流路が少なくとも形成された基板、並びにサンプル測定部を含み、前記サンプル分離流路の一端が前記サンプル移動流路の一端に接続するように形成され、前記サンプル測定部は、前記サンプル移動流路に接続する第１測定部、及び前記第１測定部とは反対側から前記サンプル移動流路に接続する第２測定部を含む、電気測定用デバイス。
2016163387.tif 000002
【特許請求の範囲】
【請求項１】
サンプル分離流路及びサンプル移動流路が少なくとも形成された基板、並びにサンプル測定部を含み、
前記サンプル分離流路の一端が前記サンプル移動流路の一端に接続するように形成され、
前記サンプル測定部は、前記サンプル移動流路に接続する第１測定部、及び前記第１測定部とは反対側から前記サンプル移動流路に接続する第２測定部を含む、
電気測定用デバイス。
【請求項２】
前記第１測定部及び前記第２測定部が、前記サンプル移動流路を挟んで非対称の位置に形成されている請求項１に記載の電気測定用デバイス。
【請求項３】
前記サンプル測定部が、第１測定部及び第２測定部を含み、前記第１測定部及び第２測定部が電極として形成され、且つ前記サンプル移動流路を横切るように形成されている請求項１に記載の電気測定用デバイス。
【請求項４】
前記サンプル分離流路に、ピラーが形成されている請求項１〜３の何れか一項に記載の電気測定用デバイス。
【請求項５】
前記サンプル分離流路の他端に接続したサンプル投入流路、前記サンプル移動流路の他端に接続したサンプル回収流路を含む、請求項１〜４の何れか一項に記載の電気測定用デバイス。
【請求項６】
前記サンプル分離流路に、サンプル中の分離・除去された成分を排出する分離サンプル排出流路が接続している請求項１〜５の何れか一項に記載の電気測定用デバイス。
【請求項７】
サンプルを捕集するためのサンプル捕集手段を含む請求項１〜６の何れか一項に記載の電気測定用デバイス。
【請求項８】
前記サンプル捕集手段が、傾斜状のサンプル捕集部、及び
前記傾斜状のサンプル捕集部の頂部に形成され、捕集したサンプルを前記サンプル投入流路に投入するためのサンプル投入孔、
を有する請求項７に記載の電気測定用デバイス。
【請求項９】
前記傾斜状のサンプル捕集部に、錐体が形成されている請求項８に記載の電気測定用デバイス。
【請求項１０】
前記サンプル捕集部にナノワイヤが形成されている請求項８又は９に記載の電気測定用デバイス。
【請求項１１】
請求項１〜１０の何れか一項に記載の電気測定用デバイス、
サンプルがサンプル移動流路を移動できるようにするための駆動回路、
第１測定部及び第２測定部に電圧を印加し、前記サンプルが前記サンプル移動回路を移動する際の電流の変化を測定する測定回路、
を含む電気測定装置。
【請求項１２】
前記測定回路は更に可変抵抗及び抵抗素子を含み、前記サンプル移動流路中の前記第１測定部及び前記第２測定部に挟まれている部分の電位差と、抵抗素子の電位差を釣り合った状態にできる、請求項１１に記載の電気測定装置。
【請求項１３】
前記測定回路が、過渡電流及び定常電流の変化を測定する請求項１１又は１２に記載の電気測定装置。
【請求項１４】
蛍光顕微鏡を更に含む請求項１１〜１３の何れか一項に記載の電気測定装置。
【発明の詳細な説明】
【技術分野】
【０００１】
本発明は、電気測定用デバイス、及び電気測定装置に関し、特に、細胞、菌、ウィルス、ＤＮＡ等のサンプルがマイクロ流路を流れる際に、定常電流の変化のみではなく過渡電流の発生も読み取ることで、高感度検出ができるように設計した電気測定用デバイス、及び該電気測定用デバイスを含む電気測定装置に関する。
【背景技術】
【０００２】
溶液中に含まれる細胞、菌、花粉、ＰＭ２．５等のサンプルの大きさ、個数等を正確に測定することは、健康な生活を送る上で大切な情報であり、近年、ますます測定精度の向上が望まれている。また、生物化学の分野では、ＤＮＡ断片をそのまま分析する分析デバイスの開発が望まれている。【０００３】
図１は、サンプルの大きさや個数等の測定方法の従来技術を示しており、シリコン等の基板上に形成した細孔（マイクロポア）にサンプルを通過させ、細孔に印加した電圧によって細孔の内部を流れる定常電流が変化する様子から細胞の大きさ、硬さを解析している（非特許文献１参照）。図１に示す従来の測定方法は、細孔の体積が小さい程感度が向上すことが知られている。細孔の体積を減らすためには直径を小さくするとともに基板を薄くする必要があり、そのため、測定の際には図１に示すように基板は縦置きにして使用されている。【０００４】
また、細孔を通過するサンプルの状態をより詳しく測定するため、マイクロ流路を形成した基板を横置きにすることで細孔部分を蛍光顕微鏡で観察できるようにし、定常電流の測定に加え細孔の周りの事象を直接観察する方法も知られている（非特許文献２参照）。図２は、非特許文献２のＦｉｇ．１を示している。
【先行技術文献】
【非特許文献】
【０００５】
【非特許文献１】Ｗａｓｅｅｍ  Ａ．ｅｔ  ａｌ．，Ｌａｂ  ｏｎ  ａ  Ｃｈｉｐ，  Ｖｏｌ．１２，  ｐｐ．２３４５−２３５２  （２０１２）
【非特許文献２】Ｎａｏｙａ．Ｙ  ｅｔ  ａｌ．，“Ｔｒａｃｋｉｎｇ  ｓｉｎｇｌｅ−ｐａｒｔｉｃｌｅ  ｄｙｎａｍｉｃｓ  ｖｉａ  ｃｏｍｂｉｎｅｄ  ｏｐｔｉｃａｌ  ａｎｄ  ｅｌｅｃｔｒｉｃａｌ  ｓｅｎｓｉｎｇ”，  ＳＣＩＥＮＴＩＦＩＣ  ＲＥＰＯＲＴＳ，  Ｖｏｌ．３，  ｐｐ．１−７（２０１３）
【発明の概要】
【発明が解決しようとする課題】
【０００６】
しかしながら、図１に示す方法では、得られる情報が定常電流の変化の信号のみであり、細孔を通過したサンプルの判別は電流値の強弱などから推察するに留まる。そのため、複数のサンプルが細孔に流れ込む場合や、測定するサンプルが生体分子等の形状が球体以外又は変化し易い場合などは、詳細な解析が難しいという問題がある（問題１）。【０００７】
また、非特許文献１に記載されている方法は、サンプルを駆動させるための駆動回路と、細孔をサンプルが通過する際の電流変化を測定する測定回路が同じになっている。一般的に、印加電圧を大きくすることで測定感度を上げることができるが、駆動回路と測定回路が同じ場合、印加電圧を大きくすると測定回路の電流計に負荷がかかり過ぎ、高感度検出ができないという問題がある（問題２）。【０００８】
更に、サンプルが細孔を通過する時間は、サンプルの表面電荷、変形能等に影響されるため、特に生体分子解析においては非常に重要な情報である。しかしながら、従来法の感度では、細孔内の定常電流の緩やかな変化を読みとることしか出来ず、印加電圧によって加速されたサンプルが短い細孔を通過する時間を読み取るには誤差が大きかった。加えて、核酸等の細長い形状の生体分子を測定する場合、生体分子を伸長状態で細孔に導入する必要があるが、そのためには、生体分子を伸長状態にするためのガイド流路が必要となる。しかしながら、ガイド流路を設けることは細孔部分の体積を増加することになり、感度の低下が避けられないという問題がある（問題３）。【０００９】
一方、図２に示すように、基板を横置きにして蛍光顕微鏡で観察することで、上記（問題１）を解決することができる。しかしながら、非特許文献２に記載されている方法は、ポンプの圧力により液体中に分散したサンプルが基板上に形成された細孔を通過するように設計されている。ポンプの圧力で液体中に分散したサンプルを流す場合、測定感度を上げる為に細孔のサイズを小さくすればするほど、液体が細孔を流れにくくなる。勿論、ポンプの圧力を大きくすることで液体を流すこともできるが、圧力を大きくし過ぎると、細孔部分が破損する恐れがある。また、非特許文献２に記載されているポンプの圧力でサンプルを流す方法では、核酸やタンパク質を流すことはできないという問題がある。更に、非特許文献２に記載されている方法も、非特許文献１に記載されている方法と同様に、感度を上げる為には細孔の体積を小さくする必要があり、上記（問題３）を解決することができないという問題がある。【００１０】
本発明は、上記従来の問題を解決するためになされた発明であり、鋭意研究を行ったところ、
（１）サンプルを流すことができるサンプル移動流路を形成し、該サンプル移動流路に接続する第１測定部及び前記第１測定部とは反対側から前記サンプル移動流路に接続する第２測定部を形成することで、サンプルの駆動回路と測定回路を別回路として設計できること、
（２）サンプルの駆動回路と測定回路を別回路とすることで、駆動回路の電圧を高く設定することで検出感度を高めることができ、従来はノイズに埋もれていた過渡電流を測定できること、
（３）測定回路に可変抵抗を組み込んだ場合は、より高感度検出が可能となり過渡電流をより精度良く測定できること、
（４）過渡電流を読み取ることで、サンプル移動流路へのサンプルの入出タイミングを正確に測定することができ、その結果、サンプルの通過速度を計算することでサンプルの表面電荷及び変形能を測定できること、
（５）サンプル移動流路の前にサンプル分離流路を形成することで、投入したサンプルから非分析対象成分を除去できること、
（６）サンプルを捕集するためのサンプル捕集手段を形成した場合は、大気中や水中に浮遊する有害・危険物質を捕集してサンプル投入流路に投入できるので身の回りの有害・危険物質を自動分析できること、
を新たに見出した。【００１１】
すなわち、本発明の目的は、定常電流の変化のみではなく過渡電流の発生も読み取ることで高感度検出ができ、更に、非分析対象成分を分離・除去し、サンプルを自動的に捕集して分析できるように設計した電気測定用デバイス、及び該電気測定用デバイスを含む電気測定装置を提供することである。
【課題を解決するための手段】
【００１２】
本発明は、以下に示す、電気測定用デバイス、及び該電気測定用デバイスを含む電気測定装置に関する。【００１３】
（１）サンプル分離流路及びサンプル移動流路が少なくとも形成された基板、並びにサンプル測定部を含み、
前記サンプル分離流路の一端が前記サンプル移動流路の一端に接続するように形成され、
前記サンプル測定部は、前記サンプル移動流路に接続する第１測定部、及び前記第１測定部とは反対側から前記サンプル移動流路に接続する第２測定部を含む、
電気測定用デバイス。
（２）前記第１測定部及び前記第２測定部が、前記サンプル移動流路を挟んで非対称の位置に形成されている上記（１）に記載の電気測定用デバイス。
（３）前記サンプル測定部が、第１測定部及び第２測定部を含み、前記第１測定部及び第２測定部が電極として形成され、且つ前記サンプル移動流路を横切るように形成されている上記（１）に記載の電気測定用デバイス。
（４）前記サンプル分離流路に、ピラーが形成されている上記（１）〜（３）の何れか一に記載の電気測定用デバイス。
（５）前記サンプル分離流路の他端に接続したサンプル投入流路、前記サンプル移動流路の他端に接続したサンプル回収流路を含む、上記（１）〜（４）の何れか一に記載の電気測定用デバイス。
（６）前記サンプル分離流路に、サンプル中の分離・除去された成分を排出する分離サンプル排出流路が接続している上記（１）〜（５）の何れか一に記載の電気測定用デバイス。
（７）サンプルを捕集するためのサンプル捕集手段を含む上記（１）〜（６）の何れか一に記載の電気測定用デバイス。
（８）前記サンプル捕集手段が、傾斜状のサンプル捕集部、及び
前記傾斜状のサンプル捕集部の頂部に形成され、捕集したサンプルを前記サンプル投入流路に投入するためのサンプル投入孔、
を有する上記（７）に記載の電気測定用デバイス。
（９）前記傾斜状のサンプル捕集部に、錐体が形成されている上記（８）に記載の電気測定用デバイス。
（１０）前記サンプル捕集部にナノワイヤが形成されている上記（８）又は（９）に記載の電気測定用デバイス。
（１１）上記（１）〜（１０）の何れか一に記載の電気測定用デバイス、
サンプルがサンプル移動流路を移動できるようにするための駆動回路、
第１測定部及び第２測定部に電圧を印加し、前記サンプルが前記サンプル移動回路を移動する際の電流の変化を測定する測定回路、
を含む電気測定装置。
（１２）前記測定回路は更に可変抵抗及び抵抗素子を含み、前記サンプル移動流路中の前記第１測定部及び前記第２測定部に挟まれている部分の電位差と、抵抗素子の電位差を釣り合った状態にできる、上記（１１）に記載の電気測定装置。
（１３）前記測定回路が、過渡電流及び定常電流の変化を測定する上記（１１）又は（１２）に記載の電気測定装置。
（１４）蛍光顕微鏡を更に含む上記（１１）〜（１３）の何れか一に記載の電気測定装置。
【発明の効果】
【００１４】
（１）本発明の電気測定用デバイスは、サンプルを流すことができるサンプル移動流路を形成し、該サンプル移動流路に接続する第１測定部及び前記第１測定部とは反対側から前記サンプル移動流路に接続する第２測定部を形成している。そのため、本発明の電気測定用デバイスを用いた電気測定装置は、サンプルの駆動回路と測定回路を別回路として設計できるので、駆動回路の電圧を高く設定し、検出感度を高めることができるので過渡電流も正確に読み取ることができる。更に、測定回路に可変抵抗を組み込んだ場合は、駆動回路と測定回路が釣り合った状態からの差分を読み取ることができるので、検出感度をより高めることができる。
（２）本発明の電気測定装置は、過渡電流を読み取ることでサンプル移動流路へのサンプルの入出タイミングを正確に測定でき、通過速度からサンプルの表面電荷及び変形能を測定することが可能となる。
（３）本発明の電気測定用デバイスは横置きで使用できることから、蛍光顕微鏡観察と組み合わせて使用することで、より正確な分析をすることができる。
（４）本発明の電気測定用デバイスは、サンプル移動流路の前にサンプル分離流路を形成している。そのため、投入したサンプル中の非分析対象成分を分離・除去できるので、高感度分析をすることができる。
（５）サンプルを捕集するためのサンプル捕集手段を形成した場合は、大気中や水中に浮遊する有害・危険物質を捕集してサンプル投入流路に自動的に投入できるので、身の回りの有害・危険物質を自動分析できる。
【図面の簡単な説明】
【００１５】
【図１】図１は、サンプルの大きさや個数等の測定方法の従来技術を示している。
【図２】図２は、非特許文献２のＦｉｇ．１を示している。
【図３】図３は、本発明の電気測定用デバイス１の概略を説明する図である。
【図４】図４は、本発明の電気測定用デバイス１の他の実施形態を示している。
【図５】図５は、第１測定部６及び第２測定部７を電極で形成した電気測定用デバイス１の概略を説明する図である。
【図６】図６は、第１測定部６及び第２測定部７を電極で形成した電気測定用デバイス１の他の実施形態を説明するための図で、図６（１）は上面図、図６（２）はＣ−Ｃ’断面図を表す。
【図７】図７（１）及び（２）は、第１測定部６及び第２測定部７を電極で形成した電気測定用デバイス１の他の実施形態を説明するための断面図である。
【図８】図８は、ピラー１２間を流れる流体の作用により、サイズの異なる微粒子を分離する原理を説明する図である。
【図９】図９は、サンプル分離流路１１に分離サンプル排出流路１５を設けた電気測定用デバイス１の概略を示す図である。
【図１０】図１０は、図４のＡ−Ａ’断面図で、電気測定用デバイス１の製造工程の一例を示している。
【図１１】図１１は、本発明の電気測定用デバイス１の他の製造工程を示す図である。
【図１２】図１２は、シール材２２に電極（第１測定部６及び／又は第２測定部７）を形成する手順を示す図である。
【図１３】図１３は、図４に示す電気測定用デバイス１にサンプル捕集手段５０の一例を設けた際のＢ−Ｂ’断面図である。
【図１４】図１４（１）はサンプル捕集部５１に錐体５３を形成した例を示しており、図１４（２）は錐体５３の頂部に向かうほどナノワイヤの密度を高くする例を示している。
【図１５】図１５は、本発明の電気測定用デバイス１を用いた電気測定装置１０の概略を示す図である。
【図１６】本発明の電気測定装置１０を用いてサンプルを測定する際の、電気測定用デバイス１上のサンプルの位置と測定できる電流値の関係を説明する図である。
【図１７】図１７は、本発明の電気測定用デバイス１の他の実施形態を示している。
【図１８】図１８は、図面代用写真で、図１８（１）は、実施例１で作製した電気測定用デバイス１の写真、図１８（２）は、第１測定部６及び第２測定部７付近の拡大写真である。
【図１９】図１９は、図面代用写真で、図１９（１）は、実施例２で作製した電気測定用デバイス１の第１測定部６及び第２測定部７付近の拡大写真、図１９（２）は、実施例３で作製した電気測定用デバイス１の第１測定部６及び第２測定部7付近の拡大写真である。
【図２０】図２０（１）は、実施例５における測定時間と測定された定常電流値の関係を示すグラフ、図２０（２）は、実施例６における測定時間と測定された定常電流値の関係を示すグラフ、図２０（３）は、実施例７における測定時間と測定された定常電流値の関係を示すグラフである。
【図２１】図２１は、実施例３の電気測定用デバイス１を用いた場合、ピークを２つ測定した理由を説明する図である。
【図２２】図２２は、サンプル移動流路３を流れるサンプルの位置の連続写真、及びサンプルが流れる際の定常電流値の変化（シグナル強度）と蛍光強度の変化を示す写真及びグラフである。
【図２３】図２３は、実施例９で測定した定常電流値の変化（シグナル強度）を示すグラフである。
【図２４】図２４は、実施例９で測定した結果に基づき作製したサンプルの体積と定常電流値の変化（シグナル強度）を示すグラフである。
【図２５】図２５は、駆動回路の電圧とサンプルがサンプル移動流路を通過する時間の関係を示す図である。
【図２６】図２６は、図面代用写真で、図２６（１）は実施例１２で作製した電気測定用デバイス１のサンプル分離流路１１部分の写真、図２６（２）はピラー部分を拡大した写真である。
【図２７】図２７は、図面代用写真で、実施例２７で作製した電気測定用デバイス１をシール材２２側から倒立顕微鏡で撮影した写真である。
【図２８】図２８は、実施例１４における測定時間と測定された定常電流値の関係を示すグラフである。
【発明を実施するための形態】
【００１６】
以下に、本発明の電気測定用デバイス、及び電気測定装置について詳しく説明する。先ず、本発明において、「定常電流」とは駆動回路と測定回路の電気抵抗値に基づいて流れるイオン電流であって、サンプル移動流路にサンプルが導入されていない時に流れている、変化せずに一定の値となる電流を意味する。また、「定常電流の変化」とは、サンプル移動流路にサンプルが導入され、サンプル移動流路中の第１測定部及び第２測定部に挟まれている部分にサンプルが到達した際に、大きく回路抵抗値が変化することによって得られるイオン電流値の変化のことを意味する。また、「過渡電流」とは、測定回路に瞬間的に流れるイオン電流を意味する。
【００１７】
図３は、本発明の電気測定用デバイス１の概略を説明する図である。図３に示す電気測定用デバイス１は、基板２、基板２上に形成されたサンプル移動流路３、サンプル移動流路３の一端に接続するサンプル分離流路１１、サンプル移動流路３の他端に接続するサンプル回収流路５、サンプル分離流路１１に接続するサンプル投入流路４、並びにサンプル移動流路３に接続する第１測定部６及び第１測定部６とは反対側からサンプル移動流路３に接続する第２測定部７を含んでいる（以下、基板上に形成した流路を纏める場合は、単に「流路」と記載することがある。）。そして、第１測定部６及び第２測定部７でサンプル測定部を形成する。
【００１８】
サンプル移動流路３の幅及び深さは、サンプルのサイズより大きければ特に制限は無いが、測定感度を上げる為には、サンプルのサイズより大き過ぎないように適宜調整することが好ましい。例えば、空気中のＰＭ２．５の直径は約２．５μｍであるので、サンプル移動流路３の幅及び深さは、３μｍ程度の大きさであればよい。また、スギ花粉の直径は約２０〜４０μｍ、ヒノキ花粉の直径は２８μｍ〜４５μｍ程度と言われているので、幅及び深さは約５０μｍ程度であればよい。勿論、上記の数値は目安であって、サンプルがさらに大きな場合は、幅及び深さを１００μ、１５０μｍ、２００μｍ等、サンプルのサイズに応じて大きくしてもよい。幅及び深さの下限値は、現在の微細加工技術では約４ｎｍが限界であるが、技術の進歩により、更に小さくしてもよい。本発明の電気測定用デバイス１は、従来の細孔と異なりサンプル移動流路３を長く設計することができ、サンプル移動流路３内でサンプルの伸長状態を作り出して核酸やタンパク質等の生体分子を測定することもできる。
【００１９】
サンプル投入流路４及びサンプル回収流路５は、サンプル駆動回路の電極を投入できる大きさであって、サンプルを含む液体（以下、サンプルを含む液体を「サンプル液」と記載することがある。）を投入及び回収できれば大きさ及び形状に特に制限は無いが、深さはサンプル移動流路３と同じにすることが望ましい。なお、サンプル分離流路１１にサンプルが効率よく流入できるようにするため、サンプル投入流路４は、サンプル分離流路１５に向かって幅が狭くなるテーパー状にしてもよい。また、サンプル回収流路５は、サンプル移動回路３から幅が広くなるテーパー状にしてもよい。
【００２０】
第１測定部６及び第２測定部７は、測定回路を構成し、定常電流の変化及び過渡電流を測定（以下、定常電流の変化及び過渡電流を測定することを「電流の変化を測定」と記載することがある。）するために用いられる。第１測定部６及び第２測定部７は、サンプル移動流路３に繋がる流路を形成し、当該流路内に電極を投入することで形成することができる。また、サンプル移動流路３に接する電極で構成してもよい。
【００２１】
第１測定部６及び第２測定部７を流路で形成する場合、流路の大きさ及び形状は、サンプル測定回路の電極を投入できる大きさであれば特に制限は無いが、測定感度を高くするためには、抵抗を少なくすることが好ましい。サンプル液で満たされた流路の抵抗値は、サンプル液の抵抗率と流路の長さの積を、流路の断面積で割った値となる。したがって、流路の幅を大きくするほど面積が大きくなり、抵抗を少なくすることができる。そのため、第１測定部６及び前記第２測定部７の幅は、サンプル移動流路３と接続している部分の長さＬより、サンプル移動流路３から離れるにしたがって長くなることが好ましい。第１測定部６及び第２測定部７の形状は同じであっても異なっていてもよいが、第１測定部６及び第２測定部７の形状が異なると、測定して得られるシグナルも非対称となる。そのため、測定したシグナルから物の形状等、より精度の高い測定をする場合は、第１測定部６及び第２測定部７を同じ形状にすることが好ましい。
【００２２】
なお、図３では、第１測定部６及び第２測定部７を略台形状にすることで、第１測定部６及び第２測定部７の幅をＬより長くしているが、第１測定部６及び第２測定部７の幅がサンプル移動流路３から離れるにしたがって長くなれば形状に特に限定は無い。例えば、図４は、本発明の電気測定用デバイス１の他の実施形態を示しており、図４に示すように、半円形状とすることで、サンプル移動流路３から離れるにしたがって長くするようにしてもよい。
【００２３】
第１測定部６及び第２測定部７の深さは、サンプル移動流路３の深さと同じにすればよい。また、長さＬは、短い程感度が良くなることから、微細加工技術で作製可能な程度まで短くすればよい。一方、長さＬが長すぎると、サンプルがサンプル移動流路３から第１測定部６又は第２測定部７に流れ込む恐れがあるので、長さＬはサンプル移動流路３の幅より短い方が好ましく、測定対象サンプルのサイズより短くすることがより好ましい。
【００２４】
図５は、第１測定部６及び第２測定部７を電極で形成した電気測定用デバイス１の概略を説明する図である。第１測定部６及び第２測定部７を電極で形成する場合は、流路を形成する必要は無く、サンプル移動流路３が形成された後、導電性の材料をサンプル移動流路３に接する位置まで塗布すればよい。電気測定用デバイス１の使用時にガラス等で蓋（シール部材）をすることから、サンプル移動流路３の中はサンプル液で満たされる。そのため、基板２上に電極を形成してもサンプル液に導通できる。なお、本発明においては、配置に関係なく、流路を形成している部材を基板と記載し、流路を形成していない部材をシール材と記載する。
【００２５】
電極の材料としては、アルミニウム、銅、白金、金、銀、チタン等の公知の導電性金属を用いればよい。また、電極は基板２上をマスクして前記材料を蒸着することで作製すればよい。第１測定部６及び第２測定部７を流路で形成して電極を挿入する形態と比較して、第１測定部６及び第２測定部７を電極で形成すると抵抗を少なくできる。そのため、サンプル移動流路３に印加する電圧を低くすることができる。サンプル移動流路３と電極との接続部分の長さは上記と同様にすればよい。また、相対する電極の形状は同じにすることが望ましい。上記のとおり電極の場合は抵抗を少なくできることから、図３及び図４に示すように第１測定部６及び第２測定部７の幅がサンプル移動流路３から離れるにしたがって長くしてもよいが、長方形等、同じ幅であってもよい。
【００２６】
図３〜図５に示す実施形態では、サンプル測定部が、第１測定部６、第１測定部６とは反対側からサンプル移動流路３に接続する第２測定部７を含んでいたが、第１測定部６及び第２測定部７を電極で形成し、サンプル移動流路３を横切るように形成してもよい。図６は、第１測定部６及び第２測定部７を電極で形成し且つサンプル移動流路３を横切るように形成した電気測定用デバイス１の実施形態を説明するための図で、図６（１）は上面図、図６（２）はＣ−Ｃ’断面図を表す。図６に示す実施形態では、シール材２２上に電極（第１測定部６及び第２測定部７）を形成し、基板２にサンプル移動流路３、サンプル投入流路４、サンプル回収流路５、サンプル分離流路１１等を形成している。また、基板２には、サンプル投入流路４にサンプルを投入するためのサンプル投入孔２３、サンプル回収流路５からサンプルを回収するためのサンプル回収孔２４が基板２を貫通するように形成されている。図６に示す実施形態では、電極（第１測定部６及び第２測定部７）は、基板２とシール材２２を組み合わせた際に、サンプル移動流路３のサンプルが流れる方向に離間し、且つサンプル移動流路３を横切るように形成されている。本実施形態の電気測定用デバイス１は、図６（２）に示すように、第１測定部６及び第２測定部７の間をサンプルが流れる際の、過渡電流を測定することができる。
【００２７】
図７は、第１測定部６及び第２測定部７を電極で形成し且つサンプル移動流路３を横切るように形成した電気測定用デバイス１の他の実施形態を説明するための断面図である。図７（１）に示す実施形態は、第１測定部６又は第２測定部７の何れか一方をシール材２２に、他方を基板２に形成することで、サンプル移動流路３を挟むように電極を形成する以外は、図６に示す実施形態と同様である。なお、第１測定部６及び第２測定部７は、基板２とシール材２２を組み合わせた際に、サンプル移動流路３を挟んで対称となる位置に形成してもよいが、サンプル移動流路３を挟んで非対称となる位置に形成することが望ましい。
【００２８】
図７（２）は、第１測定部６及び第２測定部７を電極で形成し且つサンプル移動流路３を横切るように形成した電気測定用デバイス１の他の実施形態を説明するための断面図である。図７（２）に示す実施形態は、図３〜５に示す実施形態と同様に、基板２側にサンプル移動流路３、サンプル投入流路４、サンプル回収流路５、サンプル分離流路１１等を形成し、シール材２２に第１測定部６及び第２測定部７をサンプル移動流路３のサンプルが流れる方向に離間し且つサンプル移動流路３を横切るように形成し、並びにサンプル投入孔２３及びサンプル回収孔２４を形成している。
【００２９】
図６及び図７に示す実施形態の電極は、サンプル移動流路３を横切るように形成する以外は、図５に示す実施形態と同様の材料で形成すればよい。
【００３０】
サンプル分離流路１１は、サンプル投入流路４とサンプル移動流路３の間に形成され、サンプル液中の非分析対象物を除去するために形成されている。例えば、大気中のＰＭ１０等の大きなサイズの微粒子を除去してＰＭ２．５を分析、サンプル中の細菌等を除去し溶出物のみを分析、生体サンプル中のタンパク質等の特定の成分を除去して核酸を分析等、投入したサンプルから非分析対象物を除去できれば特に制限は無い。例えば、サンプル中の大きなサイズの微粒子を除去する場合、サンプル分離流路１１にサイズ分離フィルターを形成、ナノワイヤを密集状態で形成することでフィルターを形成、液体の流れを利用してサイズ分離を行うピラーの形成等が挙げられる。また、サンプル中のタンパク質等の特定成分を除去する場合は、例えば抗体を担持したフィルター、ナノワイヤ、ピラー等をサンプル分離流路１１に形成すればよい。
【００３１】
サンプル分離フィルターは、市販されているものを用いればよい。
【００３２】
ナノワイヤは、サンプル分離流路１１に、ナノワイヤ形成用粒子又は触媒を塗布し、公知の方法でナノワイヤを成長させればよい。ナノワイヤ形成用粒子としては、例えば、ＺｎＯが挙げられる。ＺｎＯ微粒子を用いたナノワイヤは、水熱合成方法を用いて作製することができる。具体的には、先ず、ＺｎＯ粒子をサンプル分離流路１１上に塗布する。次いで、硝酸亜鉛六水和物（Ｚｎ（ＮＯ3）2・６Ｈ2Ｏ）、ヘキサメチレンテトラミン（Ｃ6Ｈ12Ｎ4）を脱イオン水に溶解した前駆体溶液に、加熱した基板を浸漬させることで、ＺｎＯナノワイヤを成長させることができる。
【００３３】
ナノワイヤ作製用の触媒としては、例えば、金、プラチナ、アルミニウム、銅、鉄、コバルト、銀、錫、インジウム、亜鉛、ガリウム、クロム、チタン等が挙げられる。触媒を用いたナノワイヤは、次の手順で作製することができる。
（ａ）触媒をサンプル分離流路１１上に堆積する。
（ｂ）ＳｉＯ2、Ｌｉ2Ｏ、ＭｇＯ、Ａｌ2Ｏ3、ＣａＯ、ＴｉＯ2、Ｍｎ2Ｏ3、Ｆｅ2Ｏ3、ＣｏＯ、ＮｉＯ、ＣｕＯ、ＺｎＯ、Ｇａ2Ｏ3、ＳｒＯ、Ｉｎ2Ｏ3、ＳｎＯ2、Ｓｍ2Ｏ3、ＥｕＯ等の材料を用い、パルスレーザーデポジション、ＶＬＳ（Ｖａｐｏｒ−Ｌｉｑｕｉｄ−Ｓｏｌｉｄ）法等の物理蒸着法でコアナノワイヤを形成する。
（ｃ）破砕・抽出した核酸が静電的相互作用により吸着し難い材料であるＳｉＯ2、ＴｉＯ2等を用い、スパッタリング、ＥＢ（Ｅｌｅｃｔｒｏｎ  Ｂｅａｍ）蒸着、ＰＶＤ（Ｐｈｙｓｉｃａｌ  Ｖａｐｏｒ  Ｄｅｐｏｓｉｔｉｏｎ）、ＡＬＤ（Ａｔｏｍｉｃ  Ｌａｙｅｒ  Ｄｅｐｏｓｉｔｉｏｎ）等の一般的な蒸着法により、コアナノワイヤの周囲に被覆層を形成する。なお、触媒を用いて作製するナノワイヤは、分岐鎖を有しないナノワイヤであってもよいし、分岐鎖を有するナノワイヤであってもよい。
【００３４】
ピラーは、後述するエッチングを用いた製造方法により、サンプル投入流路４等の他の流路と同時に作製することができる。エッチングによりピラーを形成する場合、ピラーの直径や配置等を制御できる。図８は、ピラー１２間を流れる流体の作用により、サイズの異なる微粒子を分離する原理を説明する図である。流路の方向Ｘに対して、所定角度Ｙ方向にピラー１２を設けると、大きな粒子１３はＹ方向（サンプル分離流路１１の壁面方向）に流れる。一方、小さな粒子１４はピラー１２の間を沿って流れることから、サイズの異なる微粒子を分離することができる。ピラー１２の直径、ピラー１２同士の間隔及び流路の方向Ｘに対する角度は、分離する微粒子の大きさにより適宜設定すればよい。また、ピラー１２の断面形状も、円形、楕円形、三角形等、好適調整すればよい。好適なピラー１２のデザインは、例えば、Ｊ．ＭｃＧｒａｔｈ  ｅｔ  ａｌ．，“Ｄｅｔｅｒｍｉｎｉｓｔｉｃ  ｌａｔｅｒａｌ  ｄｉｓｐｌａｃｅｍｅｎｔ  ｆｏｒ  ｐａｒｔｉｃｌｅ  ｓｅｐａｒａｔｉｏｎ：ａ  ｒｅｖｉｅｗ”,Ｌａｂ  ｏｎ  ａ  Ｃｈｉｐ，  Ｖｏｌ．１４，  ｐｐ．４１３９−４１５７  （２０１４）、等を参考に設計すればよい。
【００３５】
なお、ピラー１２を用いて微粒子の分離を行う場合は、図９に示すように、サンプル分離流路１１に分離サンプル排出流路１５を設けてもよい。分離された大きなサンプル１３は分離サンプル排出流路１５を通して排出できるので、サンプル移動流路３内に入ることを防止できるので、ノイズを低減することができる。
【００３６】
電気測定用デバイス１は、微細加工技術を用いて製造することができる。図１０は、図４のＡ−Ａ’断面図で、電気測定用デバイス１の製造工程の一例を示している。
（１）基板２の上に、エッチング可能な材料８を化学蒸着で塗布する。
（２）ポジ型フォトレジスト９をスピンコータで塗布する。
（３）流路を形成する個所に光が照射するように、フォトマスクを用いて露光・現像処理し、流路を形成する部分のポジ型フォトレジスト９を除去する。
（４）流路を形成する個所の材料８をエッチングし、基板２上に流路を形成する。
（５）ポジ型フォトレジスト９を除去し、サンプル分離流路１１部分に、フィルター又はナノワイヤを形成する。
【００３７】
基板２は、半導体製造技術の分野で一般的に用いられている材料であれば特に制限は無い。基板２の材料としては、例えば、石英ガラス、Ｓｉ、Ｇｅ、Ｓｅ、Ｔｅ、ＧａＡｓ、ＧａＰ、ＧａＮ、ＩｎＳｂ、ＩｎＰ等が挙げられる。
【００３８】
ポジ型フォトレジスト９としては、ＴＳＭＲ  Ｖ５０、ＰＭＥＲ等、半導体製造分野で一般的に使用されているものであれば特に制限はない。また、ポジ型に代え、ネガティブ型フォトレジストを用いてもよく、ＳＵ−８、ＫＭＰＲ等、半導体製造分野で一般的に使用されているものであれば特に制限はない。フォトレジストの除去液は、ジメチルホルムアミドとアセトン等、半導体分野で一般的な除去液であれば特に制限はない。
【００３９】
基板２の上に堆積し、流路及び流路以外を形成する材料８としては、絶縁性の材料であれば特に制限は無く、例えば、ＳｉＯ2、Ｓｉ3Ｎ4、ＢＰＳＧ、ＳｉＯＮ等が挙げられる。なお、図１０に示す製造工程は、エッチング可能な材料８を用いて流路を形成しているが、材料８として、上記のポジ型フォトレジストやネガティブ型フォトレジスト等の感光性樹脂を用いてもよい。感光性樹脂を用いる場合は、基板２上に感光性樹脂を塗布し、流路を形成できる形状のフォトマスクを用い、露光・現像により、感光性樹脂で流路を形成すればよい。
【００４０】
図１１は、本発明の電気測定用デバイス１の他の製造工程を示す図である。図１０に示す製造工程は、エッチングにより流路を形成しているが、図１１に示す製造工程では、鋳型を転写することで電気測定用デバイス１を作製できる。
（１）フォトマスクの形状を変えることで、転写後に流路を形成する凸部８を基板上に形成し、鋳型を作製する。
（２）鋳型を、転写用の材料２１に転写する。
（３）鋳型を剥離し、サンプル分離流路１１部分に、フィルター、ナノワイヤを形成して基板２を作製する。
【００４１】
鋳型を転写する材料２１としては、ポリジメチルシロキサン（ＰＤＭＳ）、ポリメチルメタクリレート（ＰＭＭＡ）、ポリカーボネート（ＰＣ）、硬質ポリエチレン製等のプラスチック等の絶縁性材料が挙げられる。なお、転写して作製した電気測定用デバイス１は、取扱いの利便性を向上するため、ガラス、プラスチック等の補助基板に貼り付けてもよい。
【００４２】
また、図６及び図７（１）に示す実施形態の場合は、先ず、図１２に示す手順によりシール材２２に電極（第１測定部６及び／又は第２測定部７）を形成する。
（１）シール材２２の上に、ポジ型フォトレジスト９をスピンコータで塗布する。
（２）第１測定部６及び／又は第２測定部７を形成する個所に光が照射するように、フォトマスクを用いて露光・現像処理し、第１測定部６及び／又は第２測定部７を形成する部分のポジ型フォトレジスト９を除去する。なお、第１測定部６及び／又は第２測定部７に加え、後述するサンプル駆動回路を構成するための電極３１、３２も必要に応じて形成することもできる。
（３）上記（２）のポジ型フォトレジスト９を除去した部分に、電極を形成する材料を堆積する。
（４）ポジ型フォトレジスト９を除去する。
【００４３】
次に、基板２を作製する。基板２は、サンプル移動流路３、サンプル投入流路４、サンプル回収流路５、サンプル分離流路１１を形成できる形状のフォトマスクを用いる以外は、上記図１１と同様の手順及び材料により作製すればよい。更に、必要に応じて、サンプル投入孔２３及びサンプル回収孔２４を切削加工等により形成すればよい。そして、基板２とシール材２２を液密に接着することで電気測定用デバイス１を作製することができる。
【００４４】
なお、図７（１）に示す実施形態では流路等を形成した基板２（鋳型を転写する材料２１）に電極（第１測定部６及び／又は第２測定部７）を形成する必要がある。基板２としてＰＤＭＳ、ＰＭＭＡ、ＰＣ等の鋳型を転写する材料２１を用いた場合は、“Ｉｋｊｏｏ  Ｂｙｕｎ  et.al.,  Ｊ．Ｍｉｃｒｏｍｅｃｈ．Ｍｉｃｒｏｅｎｇ．，２３，０８５０１６，２０１３”に記載されている方法により電極を形成すればよい。
【００４５】
また、図７（２）に示す実施形態では、流路が基板２側に形成されているので、シール材２２に電極を形成すればよい。シール材２２としてガラスを用いる場合は図１２に示す手順で電極を形成し、ＰＤＭＳ、ＰＭＭＡ、ＰＣ等を用いる場合は上記の論文に記載されている方法により電極を形成すればよい。
【００４６】
本発明の電気測定用デバイス１を用いて測定する際に、蛍光顕微鏡で観察する場合には、基板２、材料８、鋳型を転写する材料２１、補助基板、シール材２２は、光透過性材料で形成することが望ましい。
【００４７】
また、電気測定用デバイス１は、各種流路やピラーの配置をデザインしたフォトマスクをシリコン等の基板２に被せ、プラズマエッチング等の手法により一体形成してもよい。
【００４８】
電気測定用デバイス１は、サンプル液が流れやすくするために親水化処理をしてもよい。親水化処理方法としては、プラズマ処理、界面活性剤処理、ＰＶＰ（ポリビニルピロリドン）処理、光触媒等が挙げられ、例えば、電気測定用デバイス１の流路が形成されている面を１０〜３０秒間プラズマ処理することで、表面に水酸基を導入することができる。
【００４９】
本発明の電気測定用デバイス１は、サンプルを捕集するためのサンプル捕集手段を設けてもよい。図１３は、図４に示す電気測定用デバイス１にサンプル捕集手段５０設けた際のＢ−Ｂ’断面図である。サンプル捕集手段５０は、大気中又は水中に含まれるサンプルをサンプル投入流路４に投入できれば特に制限は無い。図１３には、傾斜状のサンプル捕集部５１、及び捕集したサンプルをサンプル投入流路４に投入するためのサンプル投入孔５２が形成されたすり鉢状のサンプル捕集手段５０が示されている。
【００５０】
サンプル捕集手段５０は、ポリジメチルシロキサン（ＰＤＭＳ）、ポリメチルメタクリレート（ＰＭＭＡ）、ポリカーボネート（ＰＣ）、硬質ポリエチレン製等のプラスチック等の絶縁性材料で作製することができる。作製方法としては、切削加工又は３Ｄプリンタが挙げられる。作製したサンプル捕集手段５０は、必要に応じて親水化処理又は疎水化処理をしてもよい。例えば、雨水や排水等の水に含まれるサンプルを分析する場合は、少なくとも傾斜状のサンプル捕集部５１を疎水化処理して水が流れやすくしてもよい。逆に、大気中に含まれる水分を捕集し、捕集した水分に含まれるサンプルを分析する場合は、大気中の水分を捕集し易くするためにサンプル捕集部５１を親水化処理してもよい。
【００５１】
疎水化処理は、例えば、フッ素処理、プラズマ処理、プラズマ重合、表面の化学修飾、表面への疎水性化合物のグラフト重合、疎水性ポリマーのコーティング、金属酸化物の被膜（ＡＬＤを用いた）などが挙げられる。また、親水化処理は、上記のプラズマ処理、界面活性剤処理、ＰＶＰ（ポリビニルピロリドン）処理、金属酸化物の被膜、光触媒等と同様に行えばよい。何れも、公知の方法で処理を行えばよい。
【００５２】
サンプルとして空気中の水分を捕集する場合、サンプル捕集部５１の表面積を増やすことで空気中の水分を捕集し易くなる。図１４（１）は、サンプル捕集部５１に錐体５３を形成した例を示している。錐体５３は、円錐、３角錐や４角錐等の多角錐等、サンプル捕集部５１の面から先尖形状に形成されていれば特に制限は無い。錐体５３に吸着した水分は重力によりサンプル捕集部５１に流れる。なお、錐体５３をサンプル捕集部５１面上にランダムに形成すると、捕集した水分がサンプル捕集部５１をスムーズに流れ難くなる。そのため、錐体５３は規則的に形成することが望ましく、例えば、六方細密充填配置等が挙げられる。図１４（１）に示すサンプル捕集手段５０は、３Ｄプリンタで作製することができる。また、錐体５３に代え、上記した手法によりサンプル捕集部５１にナノワイヤを形成することで、サンプル捕集部５１の表面積を増加してもよい。
【００５３】
更に、図１４（１）に示す錐体５３を形成した後に、ナノワイヤを錐体５３とサンプル捕集部５１に形成してもよい。なお、錐体５３にもナノワイヤを形成する場合、図１４（２）に示すように、錐体５３の頂部に向かうほどナノワイヤの密度を高くすることが望ましい。頂部のナノワイヤの密度を高くすると、表面エネルギー差＋ラプラス圧差により、錐体５３で捕集した水分をサンプル捕集部５１（矢印方向）に流すことができる。図１４（２）に示す実施形態はナノワイヤ形成用微粒子であるＺｎＯを塗布してナノワイヤを成長させればよい。均一にＺｎＯ成長することにより、錐体５３の頂部に向かうほどナノワイヤの密度を高くすることができる。
【００５４】
図１５は、本発明の電気測定用デバイス１を用いた電気測定装置１０の概略を示す図である。なお、図１４に示す例は、第１測定部６及び第２測定部７として流路を形成し、流路内に電極を挿入する実施形態を説明する図である。電気測定装置１０は、電気測定用デバイス１に加え、駆動回路３０、及び測定回路４０を含んでいる。
【００５５】
駆動回路３０は、サンプル投入流路４に挿入する第１電極３１及びサンプル回収流路５に挿入する第２電極３２、電圧印加手段３３を含んでいる。第１電極３１及び第２電極３２は、電気を通す材料であれば特に制限は無く、例えば、アルミニウム、銅、白金、金、銀、チタン等の公知の導電性金属を用いればよい。なお、図１５に示す例では、第１電極３１をサンプル投入流路４に、第２電極３２をサンプル回収流路５に挿入しているが、第１電極３１及び第２電極３２は、サンプル投入流路４及びサンプル回収流路５に形成し、電線で繋いでもよい。電圧印加手段３３は、駆動回路３０に直流電流を流してサンプルを移動できるものであれば特に制限は無いが、電池ボックス等、ノイズを出しにくいものが好ましい。
【００５６】
なお、図１５に示す実施形態では、電気測定用デバイス１のサンプル投入流路４及びサンプル回収流路５に電極３１及び３２を投入してサンプルを移動させているが、サンプルが移動できれば他の実施形態であってもよい。例えば、サンプル回収流路５の一部に孔をあけ、シリコンチューブの一端をサンプル回収流路５に接続し他端をシリンジポンプ等の吸引器に接続することで、駆動回路３０に加え、吸引力によりサンプルを移動させてもよい。細胞等の大きなサンプルを用いる場合に有用である。また、サンプル投入流路４及びサンプル回収流路５を設けなくてもよい。その場合、サンプル分離流路１１及びサンプル移動流路３に孔を形成し、駆動回路３０の第１電極３１をサンプル分離流路１１に挿入し、第２電極３２をサンプル移動回路３に挿入すればよい。更に、必要に応じて、サンプル移動流路３の一端の孔には上記と同様の吸引器を設け、サンプル分離流路１１の孔にはシリコンチューブの一端を接続し、当該シリコンチューブの他端をサンプル液容器に接続することで、駆動回路３０に加え、吸引力によりサンプルを移動してもよい。
【００５７】
第１測定部６及び第２測定部７を流路で形成する場合、測定回路４０は、第１測定部６に挿入する第３電極４１及び第２測定部７に挿入する第４電極４２、電流計４３を少なくとも含んでおり、第３電極４１及び第４電極４２からの電流を電流計４３で測定すればよい。
【００５８】
また、駆動回路３０と測定回路４０の電圧を釣り合わせた状態にし、釣り合った状態からの電流の差分を検出することでより高感度検出を行う場合は、測定回路４０に電圧印加手段４４、可変抵抗４５、抵抗値の決まった抵抗素子４６、更に、必要に応じて増幅手段を含ませることで、電流の差分のみを測定できるようにしてもよい。より具体的には、一定電圧下で可変抵抗４５の抵抗値を操作することで、抵抗素子４６と可変抵抗４５の各電位差を変化させることができる。サンプル移動流路３中の第１測定部６及び第２測定部７に挟まれている部分の電位差と、抵抗素子４６の電位差が釣り合うことで、キルヒホッフの法則に基づき、サンプル移動流路３中の第１測定部６及び第２測定部７に挟まれている部分と、抵抗素子４６と第１測定部６及び第２測定部７を含む回路には電流が流れない状態が作られる。この状態でサンプルが流入すると、サンプル流入による電流の変化は、電流が流れない状態からの差分として測定することができる。
【００５９】
第３電極４１及び第４電極４２は、第１電極３１及び第２電極３２と同様の材料で作製すればよく、また、第１測定部（流路）６及び第２測定部（流路）７に形成して電線で繋いでもよい。電圧印加手段４４は、電圧印加手段３３と同様に、測定回路４０に直流電流を流せれば特に制限は無く、電池ボックス等を用いればよい。電流計４３も一般的に使用されている電流計を用いればよい。増幅手段も、一般的に使用されているアンプを用いればよい。なお、第１測定部６及び第２測定部７を電極で形成する場合は、第３電極４１及び第４電極４２は不要で、電流計４３に接続する電線を電極に接続すればよい。
【００６０】
本発明では、可変抵抗４５及び抵抗素子４６を用いることで、サンプル移動流路３中の第１測定部６及び第２測定部７に挟まれている部分の電位差と、抵抗素子４６の電位差を釣り合った状態にし、サンプルがサンプル移動流路３に入った際の過渡電流の発生及び定常電流の変化を、釣り合った状態からのズレとして測定することができるので、検出感度を高めることができる。本発明に使用できる可変抵抗４５及び抵抗素子４６は、市販されているものを用いればよい。
【００６１】
図１６は、本発明の電気測定装置１０を用いてサンプルを測定する際の、電気測定用デバイス１上のサンプルの位置と測定できる電流値の関係を説明する図である。先ず、測定の前に、ＰＢＳ、リン酸バッファー、ＴＢＥバッファー等の緩衝液を毛管現象で流路に導入し、次いで、サンプル液をサンプル投入流路４に投入する。次に、駆動回路３０に電圧を印加すると、サンプルが、サンプル分離流路１１、サンプル移動流路３を通りサンプル回収流路５に向けて移動する。サンプル分離流路１１とサンプル移動流路３の境界付近（図１６中のaの位置）にサンプルが移動すると、測定回路４０は先ず過渡電流を測定する。次に、サンプルが、aの位置からサンプル移動流路３と第１測定部６の接続部分（図１６中のｂの位置）の付近に移動するまで、定常電流の変化を読み取る。そして、サンプルが、ｂの位置からサンプル移動流路３と第２測定部７の接続部分（図１６中のｃの位置）から出るまでの間は、より大きな定常電流の変化を測定する。そして、サンプルが、ｃの位置からサンプル移動流路３とサンプル回収流路５の境界付近（図１６中のｄの位置）に移動するまで、定常電流の変化を読み取り、そして、サンプルがサンプル回収回路５に出る際に、測定回路４０は過渡電流を測定する。
【００６２】
図１６に示すように、本発明の電気測定用デバイス１を用いてサンプルを測定すると、サンプルがサンプル移動流路３に入る時と出る時の過渡電流を測定することで、サンプルがサンプル移動流路３を移動（図１６中のａ〜ｄ）する時間を正確に測定することができる。したがって、サンプルの表面電荷や変形能などを測定することができる。
【００６３】
また、サンプルの粒径、形状は、サンプルが、第１測定部６とサンプル移動流路３の接続部分から第２測定部７とサンプル移動流路３の接続部分までの間（図１６中のｂ〜ｃ）の定常電流の変化の大きさで測定することができる。したがって、サンプル移動流路３の長さに比較して、サンプルの定常電流の変化を測定する長さが短いことから、測定感度を維持することができる。更に、第１測定部６と第２測定部７の間以外のサンプル移動流路３はガイド流路として利用することができることから、測定感度を維持したまま、ＤＮＡ等の細長い分子を伸長状態で測定することが可能となる。
【００６４】
上記のとおり、本発明の電気測定装置１０は、サンプルがサンプル移動流路３を通過する間の定常電流の変化を測定し、特に、サンプルが第１測定部６及び第２測定部７の間を移動している時の定常電流のより大きな変化を測定している。したがって、第１測定部６及び第２測定部７は、サンプル移動流路３の両端部に近い非対称となる位置に形成してもよいが、その場合、後述する実施例で示すとおりピーク時の波形は線状となることから第１測定部６及び第２測定部７を形成する位置のズレを小さくすることが好ましい。なお、本発明において、位置の「ズレ」とは、第１測定部６とサンプル移動流路３の接続部分の中間点と第２測定部７とサンプル移動流路３の接続部分の中間点（図１６中の⇔）を意味する。一方、後述する実施例で示すとおり、サンプル移動流路３を挟んだ対称となる位置に第１測定部６及び第２測定部７を形成しても定常電流を測定することはできるが、定常電流の波形が割れることから、上記のとおり、非対称となる位置に形成することが好ましく、位置のズレを、第１測定部６とサンプル移動流路３の接続部分の長さの半分＋第２測定部７とサンプル移動流路３の接続部分の長さの半分＋サンプルの大きさ、とすることがより好ましい
【００６５】
図１７は、電気測定用チップ１の他の実施形態を示す図である。図３〜５に示す電気測定用チップ１のサンプル投入流路４及びサンプル回収流路５は単一の流路となっているが、図１７に示すよう、サンプル投入流路４及びサンプル回収流路５を、複数の流路として形成してもよい。サンプル投入流路４を複数の流路とすることで、例えば、異なるサンプルを夫々の流路に入れ、駆動回路の第１電極３１及び第２電極３２も夫々の流路に入れ、電圧を印加する電極を切り替えることで、異なるサンプルを連続分析して、サンプル回収流路に回収することができる。
【００６６】
なお、複数の流路は、サンプル投入流路４又はサンプル回収流路５の一方のみに形成してもよい。サンプル投入流路４のみを複数の流路とした場合は、異なるサンプル液を連続的に分析することができる。
【００６７】
また、サンプル液中に表面電荷が異なるサンプルが含まれる場合、サンプル移動流路３を流れるサンプルの移動速度が異なる。したがって、サンプル回収流路５のみを複数の流路を形成し、夫々の流路に挿入する電極を切り替えることで、サンプル液中の異なるサンプルを分離・回収することができ、更に別の分析に用いることができる。
【００６８】
以下に実施例を掲げ、本発明を具体的に説明するが、この実施例は単に本発明の説明のため、その具体的な態様の参考のために提供されているものである。これらの例示は本発明の特定の具体的な態様を説明するためのものであるが、本願で開示する発明の範囲を限定したり、あるいは制限することを表すものではない。
【実施例】
【００６９】
〔第１測定部６及び第２測定部７の間隔が異なる電気測定用デバイスの作製〕
＜実施例１＞
先ず第１測定部６及び第２測定部7の間隔の違いによる定常電流及び過渡電流の測定値の変化を調べるため、以下の手順で電気測定用デバイスを作製した。なお、後述する実施例５〜７において第１測定部６及び第２測定部7の間隔の違いによる測定値の変化を調べるためには、サンプルを同じ状態でサンプル移動流路３に流入する必要がある。また、後述する実施例９及び１０において、本発明の電気測定用デバイスを用いて粒径の異なるサンプルを検出できることを明らかにするためには、粒径の異なる混合サンプルをサンプル移動流路３に流入させる必要がある。そのため、サンプル分離流路は不要であることから、実施例１〜３の電気測定用デバイスには、サンプル分離流路を形成しなかった。
（１）厚さ６００μｍのシリコン基板２（フェローテックシリコン社製  直径７６ｍｍ）を準備した。
（２）ネガ型フォトレジストＳＵ−８  ３００５（ＭＩＣＲＯ  ＣＨＥＭ社製）をスピンコータにより塗布した。
（３）フォトリソグラフィにより、流路を形成する個所に光が照射するように、フォトマスクを用いて露光した。露光後は、ＳＵ−８  ｄｅｖｅｌｏｐｅｒ（ＭＩＣＲＯ  ＣＨＥＭ社製）を用いてレジストを現像した。現像後は、超純水を用いてリンスし、スピンドライヤーで水分を飛ばし乾燥させ、鋳型を作製した。
（４）作製した鋳型に、ポリジメチルシロキサン（ＰＤＭＳ：東レ社製、ＳＩＬＰＯＴ１８４）を流し込み、硬化させた。
（５）硬化したＰＤＭＳを鋳型から取り外し、次いで、市販のカバーガラス（厚み：０．１７ｍｍ）をＰＤＭＳに密着させて、電気測定用デバイス１を作製した。【００７０】
図１８（１）は、実施例１で作製した電気測定用デバイス１の写真で、図１８（２）は、第１測定部６及び第２測定部７付近の拡大写真である。サンプル移動流路３の長さは１５０μｍ、幅は４μｍ、深さは７．５μｍであった。第１測定部６及び第２測定部７の深さは７．５μｍ、サンプル移動流路３との接続部分の長さは１０．５μｍで、サンプル移動流路と第１測定部の角度は約４５°であった。また、サンプル移動流路３を挟んだ第１測定部６と第２測定部７の位置のズレは、４０μｍであった。サンプル投入流路４及びサンプル回収流路５の深さは７．５μｍであった。【００７１】
＜実施例２＞
実施例１のフォトマスクの形状を換え、第１測定部６と第２測定部７の位置のズレを５μｍとした以外は、実施例１と同様の手順で電気測定用デバイス１を作製した。図１９（１）は、実施例２で作製した電気測定用デバイス１の第１測定部６及び第２測定部７付近の拡大写真である。【００７２】
＜実施例３＞
実施例１のフォトマスクの形状を換え、サンプル移動流路３を挟んで対称の位置に第１測定部６と第２測定部７を形成した以外は、実施例１と同様の手順で電気測定用デバイス１を作製した。図１９（２）は、実施例３で作製した電気測定用デバイス１の第１測定部６及び第２測定部7付近の拡大写真である。【００７３】
〔電気測定装置１０の作製〕
＜実施例４＞
（１）駆動回路３０の作製
第１電極３１及び第２電極３２は、電線（オヤイデ電気社製ＦＴＶＳ−４０８）の皮を剥いで金属部分を露出させて作製した。電圧印加手段３３は、電池ボックス（誠南工業社製）を用いた。
（２）測定回路４０の作製
第３電極４１及び第４電極４２は、電線（オヤイデ電気社製ＦＴＶＳ−４０８）の皮を剥いで金属部分を露出させて作製した。増幅手段は、ＦＥＭＴＯ社製Ｖａｒｉａｂｌｅ  Ｇａｉｎ  Ｌｏｗ  Ｎｏｉｓｅ  Ｃｕｒｒｅｎｔ  Ａｍｐｌｉｆｉｅｒを用いた。電圧印加手段４４は、電池ボックス（誠南工業社製）を用いた。可変抵抗４５は、ＢＩ  Ｔｅｃｈｎｏｌｏｇｉｅｓ社製精密ポテンションメーターを用いた。電流計４３は、増幅手段で増幅したシグナルをＵＳＢ−ＤＡＱ（Ｎａｔｉｏｎａｌ  Ｉｎｓｔｒｕｍｅｎｔｓ社製）を用いてＰＣ用の電気信号に変換し、Ｌａｂ  Ｖｉｅｗ（Ｎａｔｉｏｎａｌ  Ｉｎｓｔｒｕｍｅｎｔｓ社製）を用いて作成したソフトウェアで読み取った。抵抗素子４６は、金属皮膜抵抗（１ｋΩ  パナソニック製）を用いた。
（３）実施例１で作製した電気測定用デバイス１の、サンプル投入流路４に第１電極３１、サンプル回収流路５に第２電極３２、第１測定部６に第３電極４１、第２測定部７に第４電極４２を挿入することで、本発明の電気測定装置１０を作製した。【００７４】
〔電気測定装置１０を用いた測定〕
＜実施例５＞
超純水にサンプルとして蛍光マイクロビーズ（Ｐｏｌｙｓｃｉｅｎｃｅ社製Ｆｌｕｏｒｅｓｂｒｉｔｅ）を分散することで、サンプル液を作製した。次に、５×ＴＢＥバッファーを毛管現象により流路に導入し、作製したサンプル液３０μｌをサンプル投入流路４に投入し、駆動回路３０に５３Ｖの電圧を印加した。また、測定回路４０には、１８Ｖの電圧を印加した。可変抵抗４５を操作し、駆動回路３０及び測定回路４０の見かけ上の抵抗を釣り合った状態にした。サンプルがサンプル移動流路３を流れた際の定常電流の変化と過渡電流の発生を計測した。図２０（１）は、実施例５における測定時間と測定された定常電流値の関係を示すグラフである。【００７５】
＜実施例６＞
実施例２で作製した電気測定用デバイス１を作製した以外は、実施例５と同様の手順で測定を行った。図２０（２）は、実施例６における測定時間と測定された定常電流値の関係を示すグラフである。【００７６】
＜実施例７＞
実施例３作製した電気測定用デバイス１を作製した以外は、実施例５と同様の手順で測定を行った。図２０（３）は、実施例７における測定時間と測定された定常電流値の関係を示すグラフである。【００７７】
図２０（１）〜（３）に示すように、実施例１〜３の何れの電気測定用デバイス１を用いた場合でも、過渡電流の２つのピークが確認され、ピークの間隔はほぼ同じであった。実施例１〜３は同じサンプルを使用していることから、表面電荷は同じである。したがって、第１測定部６及び第２測定部７の位置関係によらず、サンプルの表面電荷に応じて、サンプルがサンプル移動流路３を移動する時間を正確に測定することができる。【００７８】
また、実施例１の電気測定用デバイス１を用いた場合、図２０（１）に示すように、定常電流値の変化量は一番大きかったが、ピーク時の波形は線状となった。これは、第１測定部６及び第２測定部７のズレが大きいことから、第１測定部６及び第２測定部７の間でサンプルが移動しても、体積変化が起こらず定常状態が続いたためと考えられる。【００７９】
一方、図２０（２）に示すように、実施例２の電気測定用デバイス１を用いた場合、実施例１の電気測定用デバイス１と比較して、定常電流値の変化は少なくなるものの、定常電流値の波形は明確なピークを示した。【００８０】
更に、実施例３の電気測定用デバイス１を用いた場合、図２０（３）に示すようにピークを２つ測定した。これは、図２１に示すように、
（１）第１測定部６及び第２測定部７が対称となる位置関係に配置されているため、実施例１及び実施例２の配置のデバイスより測定回路４０の電流が流れやすい、
（２）第１測定部６及び第２測定部７の端にサンプルが流れて来た時に定常電流の変化を測定するが、上記のとおり、実施例３の電気測定用デバイス１は電気が流れやすいため、サンプルがサンプル移動流路３との接続部分の中間に来た時に定常電流値がベース値に近い値に戻り、
（３）そして、接続部分からサンプルが流れ出る際に、定常電流値の変化を測定した、
為と考えられる。【００８１】
以上の結果より、第１測定部６及び第２測定部７は、サンプル移動流路３を挟んで非対称の位置に形成することが好ましく、サンプルの大きさに応じてピーク値の値が線状にならない程度にズラして配置（第１測定部６の端部と第２測定部７の端部がサンプル移動流路３を挟んで重ならず、且つ離れすぎない位置）することが好ましい。【００８２】
〔電気測定装置１０及び蛍光顕微鏡を用いた測定〕
＜実施例８＞
サンプルとして蛍光マイクロビーズ（Ｐｏｌｙｓｃｉｅｎｃｅ社製Ｆｌｕｏｒｅｓｂｒｉｔｅ）を用い、電気測定用デバイス１の第１測定部６と第２測定部７の間が観察できるように蛍光顕微鏡（Ｎｉｋｏｎ社製ＴＥ３００）を配置して蛍光強度を測定した以外は、実施例５と同様の手順で測定を行った。図２２は、電気測定用デバイス１の写真及び第１測定部６〜第２測定部７の間を流れる蛍光マイクロビーズの写真、並びに、蛍光マイクロビーズが流れる際の定常電流値の変化（シグナル強度）と蛍光強度の変化を示すグラフ（グラフ中の線で囲った部分が、蛍光マイクロビーズが第１測定部６〜第２測定部７の間を流れた際の測定結果）である。図２２に示すように、本発明の電気測定装置１０を用いることで、過渡電流及び定常電流値の変化を測定しつつ、蛍光顕微鏡で電気測定用デバイス１のサンプル移動流路３を流れるサンプルを観察することができるので、電気測定用デバイス１の測定部位で起こっている事象を正確に観察することができる。【００８３】
＜実施例９＞
サンプルとして、粒径が約３．１μｍ、２．０８μｍ、１μｍの蛍光マイクロビーズ（Ｐｏｌｙｓｃｉｅｎｃｅ社製Ｆｌｕｏｒｅｓｂｒｉｔｅ）を用いた以外は、実施例８と同様の手順で測定を行った。図２３は実施例９で測定した定常電流値の変化（シグナル強度）を示すグラフである。従来の定常電流値の変化の測定のみでは、同じ大きさの物質が重なったものであるのか、又は、大きさの異なる物質であるのか判別が困難であったが、蛍光顕微鏡と併せて観察することで、サンプルを正確に判別できた。なお、蛍光顕微鏡は異なる色を判別できることから、例えば、グラム陰性菌と陽性菌を染色して蛍光顕微鏡で観察しつつ、過渡電流及び定常電流値の変化を測定することで、大凡の種類の判別も可能となる。【００８４】
〔粒径と定常電流値の大きさの関係〕
＜実施例１０＞
サンプルとして、粒径が約３．１μｍ、２．０８μｍ、１．７５μｍ、１．１μｍ、１μｍ、０．７５μｍの蛍光マイクロビーズ（Ｐｏｌｙｓｃｉｅｎｃｅ社製Ｆｌｕｏｒｅｓｂｒｉｔｅ）を用いて実施例９と同様の手順で測定を行った。図２４はサンプルの体積と定常電流値の変化（シグナル強度）を示すグラフである。図２４に示すように、シグナル強度とサンプルの体積は相関関係があることが確認できた。【００８５】
〔印加電圧と、シグナル強度及び通過時間の関係〕
＜実施例１１＞
実施例５において、駆動回路３０の電圧を、５３Ｖ、３２Ｖ、１２Ｖの３種類に代えて測定した以外は実施例５と同様の手順で測定を行った。図２５は、駆動回路の電圧とサンプルがサンプル移動流路を通過する時間の関係を示す図である。図２５に示すように、駆動電圧３０の電圧を大きくすることで、測定感度を上げることができる一方で、サンプルの表面電荷により、通過時間が短くなることが明らかとなった。また、１２Ｖの場合は、シグナル強度のバラツキは少なかったものの、通過時間のバラツキが大きかった。一方、駆動電圧を３２Ｖ以上にした場合、通過時間のバラツキはほとんどなかったが、シグナル強度のバラツキが見られた。これは、低電圧下では、電荷を持つサンプルへの駆動力が小さくなり、壁面から受ける摩擦力によってサンプルの移動速度に影響を与えたためと考えられる。
本発明においては、サンプル移動流路３の長さ、及び第１測定部６及び第２測定部７の間隔を任意に設定できる。したがって、駆動回路３０の電圧を高くしても、定常電流の変化を読み取るのに必要で且つ最短となる時間となるようにサンプル移動流路３の長さ、及び第１測定部６及び第２測定部７を設定できることから、短時間で高感度検出を行うことができる。【００８６】
〔サンプル分離流路を含む電気測定用デバイスの作製〕
＜実施例１２＞
（１）厚さ３８０μｍのシリコン基板（フェローテックシリコン社製  直径７６ｍｍ）を準備した。
（２）サンプル分離流路を含む各種流路、及びサンプル分離流路内のピラー以外の部分をエッチングできる形状となるように、ＯＦＰＲ８６００でマスクを作製した。
（３）次に、ＩＣＰエッチング装置（サムコ株式会社製）でドライエッチングすることで、電気測定用デバイス１を作製した。【００８７】
図２６（１）は実施例１２で作製した電気測定用デバイス１のサンプル分離流路１１部分の写真、図２６（２）はピラー部分を拡大した写真である。ピラーの直径は約１０μｍ、高さは（サンプル分離流路の深さ）は約２０μｍ、隣り合うピラーの間隔（ピラーの外周同士の間隔）は約１０μｍであった。また、サンプル分離流路１１の壁面とピラー列の角度は約１．６℃であった。【００８８】
〔サンプル移動流路３を横切るように電極を形成した電気測定用デバイスの作製〕
＜実施例１３＞
先ず、以下の手順で電極（第１測定部６及び第２測定部７）を形成したシール材２２を作製した。
（１）石英ガラス（クリスタルベース社製）の上に、接着層となるＯＡＰ（東京応化工業製）を塗布し、ポジ型フォトレジストＯＦＰＲ８６００（東京応化工業製）をスピンコータにより塗布した。
（２）フォトリソグラフィにより、第１測定部６及び第２測定部７を形成する個所に光が照射するように、フォトマスクを用いて露光した。露光後は、ＮＭＤ−３を用いてレジストを現像した。現像後は、超純水を用いてリンスした。
（３）ポジ型フォトレジスト９を除去した部分に、スパッタ装置（サンユー電子製）を用いて、Ｔｉを１０ｎｍ、Ｐｔを１２０ｎｍ堆積することで、シール材２２を作製した。【００８９】
次に、実施例１２と同様の手順により、サンプル分離流路１１にピラーを形成した基板２を作製し、シール材２２に形成した電極（第１測定部６及び第２測定部７）がサンプル移動流路３を横切るように、基板２とシール材２２を貼り合わせた。図２７は、実施例２７で作製した電気測定用デバイス１をシール材２２側から倒立顕微鏡で撮影した写真である。第１測定部６と第２測定部７の間隔は約３μｍであった。また、サンプル移動流路３の幅はＰＭ２．５の測定用のため、３μｍとした。【００９０】
〔電気測定装置１０の作製及び測定〕
＜実施例１４＞
次に、実施例１３で作製した電気測定用デバイス１を用いた以外は、実施例４と同様の手順で電気測定装置１０を作製した。サンプルにはＰＭ２．５の標準物質（国立環境研究所  ＣＲＭ  Ｎｏ．２８  都市大気粉塵）を０．１Ｍ  ＫＣｌに分散したものを用い、駆動回路３０に印加する電圧を６Ｖ、測定回路４０に印加する電圧を１．５Ｖとした以外は、実施例５と同様の手順で測定を行った。図２８は、実施例１４における測定時間と測定された定常電流値の関係を示すグラフである。実図２８に示すように、過渡電流の２つのピーク（ピーク間のＴｉｍｅ：０．００７ｓ）及び定常電流値の変化を測定できた。【００９１】
以上の結果より、測定回路を構成する電極は、図５に示すようにサンプル移動流路３を挟むように形成してもよいし、図６及び図７に示すようにサンプル移動流路３を横切るように形成してもよいことが明らかとなった。
【産業上の利用可能性】
【００９２】
本発明の電気測定用デバイス１を用いることで、駆動回路と測定回路を別回路として設計できるので、駆動回路の電圧を高く設定し、検出感度を高めることができる。更に、過渡電流も正確に読み取ることができることから、サンプルの表面電荷を読み取ることができ、また、サンプル移動流路内でサンプルの伸長状態を作り出して核酸やタンパク質等の生体分子の測定が可能となる。更に、測定前にサンプルを分離することもできる。
したがって、企業、研究機関等において、サンプルを正確に分析するための測定機器の開発に有用である。
【図１】
2016163387.tif 000003
【図２】
2016163387.tif 000004
【図３】
2016163387.tif 000005
【図４】
2016163387.tif 000006
【図５】
2016163387.tif 000007
【図６】
2016163387.tif 000008
【図７】
2016163387.tif 000009
【図８】
2016163387.tif 000010
【図９】
2016163387.tif 000011
【図１０】
2016163387.tif 000012
【図１１】
2016163387.tif 000013
【図１２】
2016163387.tif 000014
【図１３】
2016163387.tif 000015
【図１４】
2016163387.tif 000016
【図１５】
2016163387.tif 000017
【図１６】
2016163387.tif 000018
【図１７】
2016163387.tif 000019
【図１８】
2016163387.tif 000020
【図１９】
2016163387.tif 000021
【図２０】
2016163387.tif 000022
【図２１】
2016163387.tif 000023
【図２２】
2016163387.tif 000024
【図２３】
2016163387.tif 000025
【図２４】
2016163387.tif 000026
【図２５】
2016163387.tif 000027
【図２６】
2016163387.tif 000028
【図２７】
2016163387.tif 000029
【図２８】
2016163387.tif 000030
【国際調査報告】
2016163387.tif 000031
2016163387.tif 000032
2016163387.tif 000033
2016163387.tif 000034